(57)【要約】【課題】店舗の軒下などの狭い敷地内に幟を設置した場合にも、幟本来の宣伝広告効果を有効に発揮させ得る幟竿立設装置を提供する。【解決手段】幟の上部を支持する支持バーが支柱の上端部に固定状態に付設された幟竿の支柱６を、取付部材６０を介して台座６１に立設可能とする。台座６１は、上端開放の円形状の支持孔７６を有し、支持孔７６の内周面には、周方向に９０度の角度を置いて係合溝部７７が設けられている。取付部材６０は、支持孔７６に挿入せしめられる円筒状をなし、その外面に、係合溝部７７に挿入される係合突部６９を有する。台座６１に対する支持バーの突出方向を、係合突部６９を係合溝部７７の所要のものに挿入させることによって変更可能とする。【選択図】        図１５
2004317971.tif 000002
【特許請求の範囲】
【請求項１】
幟の上部を支持する支持バーが、横方向に突出する如く支柱の上端部に固定状態に付設された幟竿を、取付部材を介して台座に立設可能とした幟竿立設装置であって、
前記台座は、上端開放の円形状の支持孔を有し、且つ該支持孔の内周面には、周方向に所要角度を置いて、上下方向に延び且つ上端が開放した係合溝部が設けられると共に、前記支柱は、長手方向に非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、前記台座の前記支持孔に挿入せしめられる円形状の外面を有すると共に該外面に、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とする幟竿立設装置。
【請求項２】
幟の上部を下方から支持する支持バーが、横方向に突出する如く支柱の上端部に固定状態に付設された幟竿を、取付部材を介して台座に立設可能とした幟竿立設装置であって、
前記支柱は、長手方向に非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、円形状の外面を有すると共に該外面に、周方向に所要角度を置いて、上下方向に延び且つ下端が開放した係合溝部が設けられており、
又前記台座は、上端開放の円形状の支持孔を有し、且つ該支持孔の内周面には、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とする幟竿立設装置。
【請求項３】
幟の上部を下方から支持する支持バーが、横方向に突出する如く支柱の上端部に固定状態に付設された幟竿を、取付部材を介して台座に立設可能とした幟竿立設装置であって、
前記台座は、上端開放の円形状の支持孔を有し、且つ該支持孔の内周面には、周方向に９０度の角度を置いて、上下方向に延び且つ上端が開放した係合溝部が設けられると共に、前記支柱は、長手方向に非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形外面との周方向の係合作用により、前記支柱が前記取付部材に対して軸線回りに回動不能となされ、又該取付部材は、前記台座の前記支持孔に挿入せしめられる円形状の外面を有すると共に該外面に、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とする幟竿立設装置。
【請求項４】
幟の上部を下方から支持する支持バーが、横方向に突出する如く支柱の上端部に固定状態に付設された幟竿を、取付部材を介して台座に立設可能とした幟竿立設装置であって、
前記台座は、上端開放の円形状の支持孔を有し、且つ該支持孔の内周面には、周方向に９０度の角度を置いて、上下方向に延び且つ上端が開放した係合溝部が設けられると共に、前記支柱は、長手方向に非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、前記台座の前記支持孔に挿入せしめられる円形状の外面を有すると共に該外面の対向側に、前記係合溝部の内の対向する二つに挿入される二つの係合突部が設けられており、前記台座に対する前記支持バーの突出方向を、前記係合突部を前記係合溝部の所要のものに挿入させることによって変更可能となされていることを特徴とする幟竿立設装置。
【請求項５】
幟の上部を下方から支持する支持バーが、横方向に突出する如く支柱の上端部に固定状態に付設された幟竿を、取付部材を介して台座に立設可能とした幟竿立設装置であって、
前記台座は、上端開放の円形状の支持孔を有し、且つ該支持孔の内周面には、周方向に９０度の角度を置いて、上下方向に延び且つ上端が開放した係合溝部が設けられると共に、前記支柱は、長手方向に非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、前記台座の前記支持孔に挿入せしめられる円形状の外面を有すると共に該外面に、前記四つの係合溝部に挿入される四つの係合突部が設けられており、前記台座に対する前記支持バーの突出方向を、前記係合突部を前記係合溝部に挿入させることによって変更可能となされていることを特徴とする幟竿立設装置。
【請求項６】
幟の上部を下方から支持する支持バーが、横方向に突出する如く支柱の上端部に固定状態に付設された幟竿を、取付部材を介して台座に立設可能とした幟竿立設装置であって、
前記支柱は、非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、円形状の外面を有すると共に該外面に、周方向に９０度の角度を置いて、上下方向に延び且つ下端が開放した係合溝部が設けられており、
又前記台座は、上端開放の円形状の支持孔を有し、且つ該支持孔の内周面には、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とする幟竿立設装置。
【請求項７】
幟の上部を下方から支持する支持バーが、横方向に突出する如く支柱の上端部に固定状態に付設された幟竿を、取付部材を介して台座に立設可能とした幟竿立設装置であって、
前記支柱は、非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、円形状の外面を有すると共に該外面に、周方向に９０度の角度を置いて、上下方向に延び且つ下端が開放した係合溝部が設けられており、
又前記台座は、上端開放の円形状の支持孔を有し、且つ該支持孔の内周面の対向側に、前記係合溝部の内の対向する二つに挿入される二つの係合突部が設けられており、前記台座に対する前記支持バーの突出方向を、前記係合突部を前記係合溝部の所要のものに挿入させることによって変更可能となされていることを特徴とする幟竿立設装置。
【請求項８】
幟の上部を下方から支持する支持バーが、横方向に突出する如く支柱の上端部に固定状態に付設された幟竿を、取付部材を介して台座に立設可能とした幟竿立設装置であって、
前記支柱は、非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、円形状の外面を有すると共に該外面に、周方向に９０度の角度を置いて、上下方向に延び且つ下端が開放した係合溝部が設けられており、
又前記台座は、上端開放の円形状の支持孔を有し、且つ該支持孔の内周面に、前記四つの係合溝部に挿入される四つの係合突部が設けられており、前記台座に対する前記支持バーの突出方向を、前記係合突部を前記係合溝部に挿入させることによって変更可能となされていることを特徴とする幟竿立設装置。
【請求項９】
幟の上部を支持する支持バーが、横方向に突出する如く支柱の上端部分に固定状態に付設された幟竿を、取付部材を介して台座に立設可能とした幟竿立設装置であって、
前記支柱は、長手方向に非円形の同形断面を有するパイプ状に形成されており、又前記取付部材は、前記支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、非円形の外面を有しており、
又前記台座には、上端開放で横断面が非円形の支持孔が設けられ、周方向に所要に角度を変えて、前記取付部材を前記支持孔に密接に挿入可能となされており、該挿入状態で該支持孔の非円形の内面と前記取付部材の非円形の外面との周方向の係合作用により、前記取付部材が前記台座に対して軸線回りに回動不能となされていることを特徴とする幟竿立設装置。
【請求項１０】
幟の上部を下方から支持する支持バーが、横方向に突出する如く支柱の上端部分に固定状態に付設された幟竿を台座に立設可能とした幟竿立設装置であって、
前記支柱は、長手方向に非円形の同形断面を有するパイプ状に形成されると共に、前記台座には、上端開放で横断面が非円形の支持孔が設けられ、周方向に所要に角度を変えて、前記支柱の下端部分を前記支持孔に密接に挿入可能となされており、該挿入状態で、該支持孔の非円形の内面と前記支柱の非円形の外面との周方向の係合作用により、前記支柱が前記台座に対して軸線回りに回動不能となされていることを特徴とする幟竿立設装置。
【請求項１１】
幟の上部を下方から支持する支持バーが、横方向に突出する如く支柱の上端部分に固定状態に付設された幟竿を台座に立設可能とした幟竿立設装置であって、
該支柱は、長手方向に非円形の同形断面を有するパイプ状に形成されると共に、前記台座には、上端開放で横断面が非円形の支持孔が設けられ、周方向に９０度の角度を置いて、前記支柱の下端部分を前記支持孔に密接に挿入可能となされており、該挿入状態で、該支持孔の非円形の内面と前記支柱の非円形の外面との周方向の係合作用により、前記支柱が前記台座に対して軸線回りに回動不能となされていることを特徴とする幟竿立設装置。
【発明の詳細な説明】
【０００１】
【発明の属する技術分野】
本発明は、幟竿立設装置に関するものであり、幟の上部を支持する支持バーが支柱の上端部に固定状態に付設された幟竿を台座に対して回動しないように取り付けることができ、又、該台座に対する幟竿の装着向きを変更可能とした幟竿立設装置に関するものである。
【０００２】
【従来の技術】
飲食店や小売店、各種の展示会場等において、広告媒体として多用されている従来の幟竿は、幟の上部を下方から支持する横方向の支持バーを支柱の上端部に回転支持具を介して取り付け、幟が風を受けた場合には該支持バーが支柱の軸線回りに回動自在となされていた。
【０００３】
そしてこれらの幟竿は、従来、宣伝広告効果を向上させんとして、店舗や展示会場等の周辺の電柱やフェンス、ガードレール等の公共物に対しても取り付けられていた。
【０００４】
ところが今後は、公共物に対する宣伝広告物の取り付け規制が強化される傾向にあり、一部の自治体では既に禁止されているため、幟竿についても、これを店舗等の敷地内に設置せざるを得なくなる。
【０００５】
しかしながら例えば図６０に示すように、店舗の軒下等の狭い敷地内に幟竿ａを立てた場合、幟ｂが風を受けた時に、支持バーｃが回転して該幟ｂが建物ｄの壁面ｅに対して平行状態になってしまうと、通行者に対しての宣伝効果が薄くなる問題が発生することになる。又、支持バーｃの回動によって幟ｂがショーウィンドーや店舗のガラス壁面に張り付いた状態になると、ショーウィンドーの内部や店内を外から見えにくくして顧客誘引を妨げたり、店内を暗くして店の雰囲気を悪化させる問題を招来する他、防犯上も好ましくないという問題が発生することになる。
【０００６】
かかる問題点を解決せんとして、支持バーと支柱との連結部分に二股状のストッパーを取り付けて該支持バーの回動を防止せんとする幟竿装置が特開２０００−２４２２０１号で提案されている。
【０００７】
しかし、かかるストッパーを用いて支持バーの回動を防止せんとするときは、このストッパーが目立って、幟による宣伝広告効果を低減させる問題があった他、ストッパーが不用意に外れて支持バーがいきなり回転し始めて通行者に危険を及ぼす恐れもあった。
【０００８】
【特許文献１】
特開２０００−２４２２０１号公報（第２頁、図２）
【０００９】
【発明が解決しようとする課題】
本発明は、前記従来の問題点に鑑みて開発されたものであり、幟竿を店舗の軒下等の狭い敷地内に設置する場合にも幟本来の宣伝広告効果を有効に発揮させ得る幟竿立設装置の提供を課題とするものである。
【００１０】
【課題を解決するための手段】
前記課題を解決するため、本発明は以下の手段を採用する。
即ち本発明に係る幟竿立設装置は、幟の上部を支持する支持バーが、横方向に突出する如く支柱の上端部に固定状態に付設された幟竿を、取付部材を介して台座に立設可能となされており、前記台座は、上端開放の円形状の支持孔を有し、且つ該支持孔の内周面には、周方向に所要角度を置いて、上下方向に延び且つ上端が開放した係合溝部が設けられると共に、前記支柱は、長手方向に非円形の同形断面を有するパイプ状に形成されている。又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされている。又該取付部材は、前記台座の前記支持孔に挿入せしめられる円形状の外面を有すると共に該外面に、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とするものである。
【００１１】
本発明に係る幟竿立設装置の他の態様は、幟の上部を下方から支持する支持バーが、横方向に突出する如く支柱の上端部に固定状態に付設された幟竿を、取付部材を介して台座に立設可能となされており、前記支柱は、長手方向に非円形の同形断面を有するパイプ状に形成されている。又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、円形状の外面を有すると共に該外面に、周方向に所要角度を置いて、上下方向に延び且つ下端が開放した係合溝部が設けられている。又前記台座は、上端開放の円形状の支持孔を有し、且つ該支持孔の内周面には、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とするものである。
【００１２】
本発明に係る幟竿立設装置のより具体的な態様は、幟の上部を下方から支持する支持バーが、横方向に突出する如く支柱の上端部に固定状態に付設された幟竿を、取付部材を介して台座に立設可能となされており、前記台座は、上端開放の円形状の支持孔を有し、且つ該支持孔の内周面には、周方向に９０度の角度を置いて、上下方向に延び且つ上端が開放した係合溝部が設けられると共に、前記支柱は、長手方向に非円形の同形断面を有するパイプ状に形成されている。又前記取付部材は、該支柱の下端部分を密接に挿入させ得る、非円形の保持孔を有し、該保持孔に前記下端部分が挿入された状態で、該保持孔の非円形の内面と前記下端部分の非円形外面との周方向の係合作用により、前記支柱が前記取付部材に対して軸線回りに回動不能となされ、又該取付部材は、前記台座の前記支持孔に挿入せしめられる円形状の外面を有すると共に該外面に、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とするものである。
【００１３】
又、本発明に係る幟竿立設装置のより具体的な他の態様は、幟の上部を下方から支持する支持バーが、横方向に突出する如く支柱の上端部に固定状態に付設された幟竿を、取付部材を介して台座に立設可能となされており、前記台座は、上端開放の円形状の支持孔を有し、且つ該支持孔の内周面には、周方向に９０度の角度を置いて、上下方向に延び且つ上端が開放した係合溝部が設けられると共に、前記支柱は、長手方向に非円形の同形断面を有するパイプ状に形成されている。又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、前記台座の前記支持孔に挿入せしめられる円形状の外面を有すると共に該外面の対向側に、前記係合溝部の内の対向する二つに挿入される二つの係合突部が設けられており、前記台座に対する前記支持バーの突出方向を、前記係合突部を前記係合溝部の所要のものに挿入させることによって変更可能となされていることを特徴とするものである。
【００１４】
又、本発明に係る幟竿立設装置のより具体的なその他の態様は、幟の上部を下方から支持する支持バーが、横方向に突出する如く支柱の上端部に固定状態に付設された幟竿を、取付部材を介して台座に立設可能となされており、前記台座は、上端開放の円形状の支持孔を有し、且つ該支持孔の内周面には、周方向に９０度の角度を置いて、上下方向に延び且つ上端が開放した係合溝部が設けられると共に、前記支柱は、長手方向に非円形の同形断面を有するパイプ状に形成されている。又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされ、又該取付部材は、前記台座の前記支持孔に挿入せしめられる円形状の外面を有すると共に該外面に、前記四つの係合溝部に挿入される四つの係合突部が設けられており、前記台座に対する前記支持バーの突出方向を、前記係合突部を前記係合溝部に挿入させることによって変更可能となされていることを特徴とするものである。
【００１５】
又、本発明に係る幟竿立設装置のより具体的なその他の態様は、幟の上部を下方から支持する支持バーが、横方向に突出する如く支柱の上端部に固定状態に付設された幟竿を、取付部材を介して台座に立設可能となされており、前記支柱は、非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされている。又該取付部材は、円形状の外面を有すると共に該外面に、周方向に９０度の角度を置いて、上下方向に延び且つ下端が開放した係合溝部が設けられている。又前記台座は、上端開放の円形状の支持孔を有し、且つ該支持孔の内周面には、前記係合溝部の少なくとも一つに挿入される係合突部が設けられており、前記台座に対する前記支持バーの突出方向を、前記係合突部を前記係合溝部の所要のものに挿入させることによって変更可能となされていることを特徴とするものである。
【００１６】
又、本発明に係る幟竿立設装置のより具体的なその他の態様は、幟の上部を下方から支持する支持バーが、横方向に突出する如く支柱の上端部に固定状態に付設された幟竿を、取付部材を介して台座に立設可能となされており、前記支柱は、非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされている。又該取付部材は、円形状の外面を有すると共に該外面に、周方向に９０度の角度を置いて、上下方向に延び且つ下端が開放した係合溝部が設けられている。又前記台座は、上端開放の円形状の支持孔を有し、且つ該支持孔の内周面の対向側に、前記係合溝部の内の対向する二つに挿入される二つの係合突部が設けられており、前記台座に対する前記支持バーの突出方向を、前記係合突部を前記係合溝部の所要のものに挿入させることによって変更可能となされていることを特徴とするものである。
【００１７】
又、本発明に係る幟竿立設装置のより具体的なその他の態様は、幟の上部を下方から支持する支持バーが、横方向に突出する如く支柱の上端部に固定状態に付設された幟竿を、取付部材を介して台座に立設可能となされており、前記支柱は、非円形の同形断面を有するパイプ状に形成されており、又前記取付部材は、該支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされている。又該取付部材は、円形状の外面を有すると共に該外面に、周方向に９０度の角度を置いて、上下方向に延び且つ下端が開放した係合溝部が設けられている。又前記台座は、上端開放の円形状の支持孔を有し、且つ該支持孔の内周面に、前記四つの係合溝部に挿入される四つの係合突部が設けられており、前記台座に対する前記支持バーの突出方向を、前記係合突部を前記係合溝部に挿入させることによって変更可能となされていることを特徴とするものである。
【００１８】
又、本発明に係る幟竿立設装置のより具体的なその他の態様は、幟の上部を支持する支持バーが、横方向に突出する如く支柱の上端部分に固定状態に付設された幟竿を、取付部材を介して台座に立設可能となされており、前記支柱は、長手方向に非円形の同形断面を有するパイプ状に形成されている。又前記取付部材は、前記支柱の下端部分を密接に挿入させ得る、非円形の保持孔を有し、該保持孔に前記下端部分が挿入された状態で、該保持孔の非円形の内面と前記下端部分の非円形の外面との周方向の係合作用により、前記支柱が前記取付部材に対して軸線回りに回動不能となされている。又該取付部材は、非円形の外面を有しており、又前記台座には、上端開放で横断面が非円形の支持孔が設けられ、周方向に所要に角度を変えて、前記取付部材を前記支持孔に密接に挿入可能となされており、該挿入状態で該支持孔の非円形の内面と前記取付部材の非円形の外面との周方向の係合作用により、前記取付部材が前記台座に対して軸線回りに回動不能となされていることを特徴とするものである。
【００１９】
又、本発明に係る幟竿立設装置のより具体的なその他の態様は、幟の上部を下方から支持する支持バーが、横方向に突出する如く支柱の上端部分に固定状態に付設された幟竿を台座に立設可能となされており、前記支柱は、長手方向に非円形の同形断面を有するパイプ状に形成されている。そして前記台座には、上端開放で横断面が非円形の支持孔が設けられ、周方向に所要に角度を変えて、前記支柱の下端部分を前記支持孔に密接に挿入可能となされており、該挿入状態で、該支持孔の非円形の内面と前記支柱の非円形の外面との周方向の係合作用により、前記支柱が前記台座に対して軸線回りに回動不能となされていることを特徴とするものである。
【００２０】
又、本発明に係る幟竿立設装置のより具体的なその他の態様は、幟の上部を下方から支持する支持バーが、横方向に突出する如く支柱の上端部分に固定状態に付設された幟竿を台座に立設可能となされており、該支柱は、長手方向に非円形の同形断面を有するパイプ状に形成されると共に、前記台座には、上端開放で横断面が非円形の支持孔が設けられ、周方向に９０度の角度を置いて、前記支柱の下端部分を前記支持孔に密接に挿入可能となされており、該挿入状態で、該支持孔の非円形の内面と前記支柱の非円形の外面との周方向の係合作用により、前記支柱が前記台座に対して軸線回りに回動不能となされていることを特徴とするものである。
【００２１】
【発明の実施の形態】
以下、本発明の実施の形態を図面に基づいて説明する。
〔第１の実施の形態〕
図１において本発明に係る幟竿立設装置１は、幟７の上部４１を下方から支持する支持バー９が、横方向に突出する如く上端部に固定状態に付設された幟竿８を、図１５〜１６に示す取付部材６０を介して台座６１に立設可能としたものである。
【００２２】
該幟竿８は、外支柱部２内に内支柱部３をスライド可能に挿入すると共に、該内支柱部３の所要のスライドによって設定された支柱長さを固定具５で固定可能となされた伸縮可能の支柱６の該内支柱部３の上端部に、幟７の上部４を支持する支持バー９を、挾持具１０を介して固定状態に設けてなるものである。
【００２３】
前記外支柱部２は、例えば図２〜３に示すように、円形パイプの対向側を潰すことによって形成された平行する平坦部分１１，１１を有するパイプ状を呈し、長手方向に楕円形の同一断面を有し、該平坦部分１１，１１の内面部１２及び外面部１３は平坦面に形成されている。
【００２４】
又前記内支柱部３は、前記外支柱部２と同様に、例えば図２〜３に示す如く、円形パイプの対向側を潰すことによって形成された平行する平坦部分１５，１５を有するパイプ状を呈し、長手方向に楕円形の同一断面を有し、該平坦部分１５，１５の内面部１６及び外面部１７は平坦面に形成されている。そして該内支柱部３は、前記外支柱部２よりも若干小寸法に形成され、図３〜４に示すように、外支柱部２内に内支柱部３を、若干の遊びを有してスライド可能に挿入してなり、該内支柱部３の非円形の外面１４と前記外支柱部２の非円形の内面１８との周方向の係合作用によって、図４（Ｂ）に矢印Ｆ１で示し、又は図４（Ｃ）に矢印Ｆ２で示すように、内支柱部３が外支柱部２に対して周方向に回転不能となされている。
【００２５】
又前記固定具５は、図２に示すように、前記外支柱部２の上端部分１９に固着され且つ上下貫通した挿通孔２０を有する筒体２１に、上下方向に回動可能なレバー２２を枢着した構成を有している。
【００２６】
該筒体２１は、図２、図５〜６に示すように、その後壁部２３の上側部分が開口され、該開口２５の下側をなす下筒部２６とその上側をなす上筒部２７とに分かれ、該下筒部２６の左右側部には、軸受突部２９，２９が後方に突設されている。そして、前記開口２５の下側をなす前記下筒部２６は、図６に示すように、その挿通孔２０ａに、前記外支柱部２の上端部分１９が窮屈に挿入可能となされ、これにより筒体２１が外支柱部２に固着可能となされ、この固着状態で、前記開口２５の下端３０が、外支柱部２の上端３１と面一となるように寸法設定されている。又、下筒部２６内に前記上端部分１９を挿入させる際の挿入量を一定に規制するために、本実施の形態においては、図６〜７に示すように、前記下筒部２６の内面３２に、前記外支柱部の上端３１と当接する段部３３を介して上筒部２７の内面３５を連設している。なお図７においては、説明の便宜上、段部３３を、斜線を付して示している。又、前記上筒部２７の挿入孔２０ｂには、図８に示すように、前記内支柱部３を稍遊びを有して挿通可能となされている。
【００２７】
又前記レバー２２は、図２、図５〜６に示すように、くの字状に屈曲しており、その基端部の円柱状部３６が、前記左右の軸受突部２９，２９で支持された枢軸３７により回動可能に枢着されている。そして該円柱状部３６には、垂下状態を呈するようにレバー２２が下向きに一杯に回動せしめられた状態で、前記内支柱部３の後面部３９を図８に示すように押圧する押圧係合部４０が突設されており、該押圧状態において、内支柱部３が外支柱部２に固定される。この状態からレバー２２を上向きに回動させると、図６に示すように、該押圧係合部４０による内支柱部３の押圧状態が解除され、内支柱部３が外支柱部２に対してスライド自在となる。
【００２８】
又前記支持バー９は、図１、図９〜１０に示すように、その横断面が縦長の長方形状をなす、ガラス繊維製の横長棒状に形成され、幟７の上部４１の両端と中央部に設けたループ片４２，４２，４２を挿通して、幟の上部４１を下方から支持するものであり、支持バーの先端には、先端のループ片４２ａを抜け止めとするループ片抜止め４３が設けられている。
【００２９】
又前記挾持具１０は、図１０〜１１に示すように、下の挾持部材４５と上の挾持部材４６とからなり、該下の挾持部材４５は、前記内支柱部３の楕円形の内孔４７の上端部分に挿入される（本実施の形態においては、図１２〜１３に示すように窮屈な状態で挿入される）断面外径が楕円形状の軸部４９の上部に、外方に稍拡大する上端開放の筒状をなす、第１の係合部９４としてのネジ軸部５０が設けられ、図１２に示すように、該軸部４９の非円形の外面５１と前記内孔４７の非円形の内面４８との周方向の係合作用によって該軸部４９が前記内支柱部３に対して周方向に回動不能となされている。そして前記ネジ軸部５０の下端側には、前記支持バー９を横方向（例えば水平方向）に挿通させる挿通孔部５２が設けられている。該挿通孔部５２は本実施の形態においては楕円の長軸方向に延長し、両端が矩形孔５３，５３に形成されている。
【００３０】
一方前記上の挾持部材４６は、図１０に示すように、下端が開放したキャップ状に形成されており、その内周面に設けられた、第２の係合部９５としての雌ネジ部５５が前記ネジ軸部５０の雄ネジ部５６に螺合されて締め付けられることにより、前記挿通孔部５２に挿通状態にある前記支持バー９を、図１３に示すように、該挿通孔部５２の下端部５７に向けて押圧可能となされている。
【００３１】
そして、前記上の挾持部材４６が前記ネジ軸部５０に螺合されて締め付けられることにより、前記挿通孔部５２に挿通状態にある支持バー９が、挿通孔部５２の前記下端部５７に向けて押圧され、この押圧によって、図１３〜１４に示すように、該支持バー９が、前記ネジ軸部５０に対して周方向に回転不能に該挿通孔部５２に拘束される。
【００３２】
又前記該取付部材６０は、図１５〜１７に示すように、上端開放の円筒状をなし、その軸線に沿って、外支柱部２の前記下端部分５９を密接に挿入させ得る楕円形状の保持孔６２を有する。本実施の形態においては、保持孔６２への該下端部分５９の挿入を容易とするために、保持孔６２は図１７に示すように、上端が拡大し且つ下端に向けて径が小さくなるテーパ孔状に形成されており、その内面６３の対向側は、図１８に示すように、外支柱部２の前記平坦な外面部１３，１３と当接し得る平坦面６５，６５に形成されている。そして図１８に示すように、外支柱部２の下端側６４が前記保持孔６２の下側の部分６６に稍窮屈に挿入された状態となり得、これにより、該保持孔６２の非円形の内面６３と前記外支柱部２の非円形の外面６６との周方向の係合作用により、前記支柱６が前記取付部材６０に対して軸線回りに回動不能となされている。又該取付部材６０は、図１５、図１８に示すように、その外面６７が円形状に形成されており、該円形の外面６７の対向側に、上下方向に連続する係合突部６９，６９が突設されると共に、図１５に示すように、該外面６７の上端には円形鍔部７０が周設されている。
【００３３】
又前記台座６１は、本実施の形態においては図１５、図２１に示すように、店舗等の建物７１の外壁面７２に近接させて幟竿を立設するのに好都合に設計され、所定量の水を充填できる中空のブロー成形タンクとして形成されている。該台座６１の後面７３は、前記外壁面７２に当接し得るように平坦面に形成されると共に、その前側部分７５は、平面視で半円弧状を呈している。又該台座６１の後部の上面中央部分には、図１５、図２０に示すように、上下方向に貫通した円形状の支持孔７６が設けられると共に、該支持孔７６の内周面の前後部位及び左右部位には、９０度の角度を置いて、上下方向に連続する係合溝部７７，７７が設けられている。
【００３４】
然して、前記構成の幟竿８を取付部材６０を介して台座６１に立設状態とするには、図１７〜１８に示すように、前記構成の取付部材６０の保持孔６２に、前記外支柱部２の下端部分５９を稍窮屈に挿入された状態とする。これにより取付部材６０が外支柱部２に固定状態になり、且つ、保持孔６２の非円形の内面６３と外支柱部２の非円形の外面６６との周方向の係合作用により、外支柱部２が取付部材６０に対して軸線回りに回動不能となる。このように取付部材６０を支柱６に取り付けて後、図１９〜２０に示すように、前記係合突部６９，６９を前記左右の係合溝部７７ａ，７７ａに位置合わせして前記取付部材６０を前記支持孔７６に挿入させ、且つ図１９に示すように、前記円形鍔部７０を前記支持孔７６の上端縁７９と当接させることにより、前記外支柱部２は、その軸線回りの回り止めが図られて前記台座６１に立設状態とされる。この状態で、前記挾持具１０を介して支柱６に固定状態とされている前記支持バー９は、図２１に示すように、建物の外壁面７２から略直角に突出する。
【００３５】
又、前記係合突部６９，６９を、図２２に示すように、前記前後の係合溝部７７ｂ，７７ｂに位置合わせして前記取付部材６０を前記支持孔７６に挿入させ、且つ図１９に示すように、前記円形鍔部７０を前記支持孔７６の上端縁８０と当接させることにより、前記外支柱部２は、同様に、その軸線回りの回り止めが図られて前記台座６１に立設状態とされ、この状態で、前記挾持具１０を介して支柱６に固定状態とされている前記支持バー９は、図２３に示すように、建物の外壁面７２と平行状態となり得る。
【００３６】
以下、かかる構成を有する幟竿１の使用状態を、道路に面した店舗の外壁面７２に近接させて幟竿を立設する場合を例にとって説明する。先ず、幟７が取り付けられた幟竿１の構成を説明すれば、図６に示すように、前記固定具５のレバー２２を開いた状態で、前記内支柱部３を前記外支柱部２内に挿入し、該内支柱部３のスライドにより支柱長さを所要に設定し、その後、該レバー２２を図８に示すように下向きに回動させ、内支柱部３を外支柱部２に対して固定状態とする。その後、図１、図９に示すように、前記幟７の一方の側部の上下端部位及び中間部位に取り付けられたループ片４２の夫々に支柱６を通す。又前記支持バー９を、幟７の上部４１に取り付けられたループ片４２の夫々に、その基端から通すと共に該基端側８１を、上の挾持部材４６が緩められた状態にある挾持具１０の前記挿通孔部５２に挿通させ、且つ該幟７の上部の先端のループ片４２ａを前記ループ片抜止め４３に止着させる。然る後、図１３〜１４に示すように、前記上の挾持部材４６を螺合させて締め付け、支持バー９を前記挿通孔部５２の下端部５７に押圧せしめ、これにより該支持バー９を、挾持具１０を介して内支柱部３の上端部（支柱の上端部）８２に固定状態とする。
【００３７】
又図１７〜１８に示すように、前記外支柱部２の下端部分５９を、前記取付部材６０の保持孔６２に、前記平坦な外面部１３と前記平坦面６５とが当接状態となるように窮屈に挿入する。
【００３８】
その後、図２１に示すように、前記支持バー９が前記外壁面７２から略直角に突出した状態となるように、前記後面７３が建物の前記外壁面７２に当接状態とされた前記台座（所定量の水が充填されている）６１に立設させるのであるが、その際、図２０に示すように、前記取付部材６０の対向側に設けられている前記係合突部６９，６９を、前記支持孔７６の左右の係合溝部７７ａ，７７ａに位置合わせして、前記取付部材６０を支持孔７６に窮屈に挿入させる。これにより、図２１に示すように、前記支持バー９が前記外壁面７２から略直角に突出した状態となって、支柱６が台座６１に立設状態とされる。
【００３９】
このように台座６１に立設された幟竿１にあっては、図２０に示すように、外支柱部２と取付部材６０とが前記非円形の外面６６と前記非円形の内面６３とのの係合作用によって回り止めされると共に、該取付部材６０と台座６１とが、前記係合突部６９，６９と前記係合溝部７７ａ，７７ａとの係合作用によって回り止めされている。又図４（Ａ）（Ｂ）に示すように、外支柱部２と内支柱部３とが前記非円形の内面１８と前記非円形の外面１４との係合作用によって回り止めされると共に、内支柱部３と前記下の挾持部材４５とが、図１２に示すように、前記内孔４７の非円形の内面４８と前記軸部４９の非円形の外面５１との係合作用によって回り止めされている。加えて図１３〜１４に示すように、前記支持バー９が前記挾持具１０の挿通孔部５２に挿通せしめられ且つ上の挾持部材４６の締め付けによって、該支持バー９が該挾持具１０に対し回り止めされている。このように各部が回り止めされているため、幟７が風を受けても支持バー９は、例えば、前記外壁面７２から略直角をなす方向に突出した図１９に示す状態で維持される。これにより、広告媒体である幟７を通行者に対して見やすく保持できることとなる。もしも、強風によって幟竿が転倒する恐れがあるときは、支柱６を台座６１から一旦抜き取って、図２２に示すように、前記取付部材６０に設けられている係合突部６９，６９を、前記支持孔７６の前後に設けられている係合溝部７７ｂ，７７ｂに位置合わせして、該取付部材６０を支持孔７６に挿入状態とする。これにより図２３に示すように、支持バー９が外壁面７２に平行状態となるので風圧を軽減できる。
【００４０】
図２４〜２６は、支持バー９を横方向に突出する如く支柱６の上端部に固定状態とする他の態様を示すものであり、前記実施の形態におけるものとは挾持具１０の構成が異なる。即ち該挾持具１０は、前記内支柱部３に固定される下の挾持部材４５と該下の挾持部材４５に固定される上の挾持部材４６とからなり、該下の挾持部材４５は、前記内支柱部３の楕円形の内孔４７の上端部分に窮屈な状態で挿入される断面外径が楕円形状の軸部４９の上部に、外方に稍拡大し且つ上端に向けて小径となるテーパー軸部（本実施の形態においては、上端開放のテーパー筒状に形成されている）９３を有する第１の係合部９４が設けられ、該軸部４９の非円形の外面５１と前記内孔４７の非円形の内面４８との周方向の係合作用により、該軸部４９が前記内支柱部３に対して周方向に回転不能となされている。そして前記第１の係合部９３の下端側には、前記支持バー９を横方向に挿通させる挿通孔部５２が設けられている。該挿通孔部５２は、本実施の形態においては、楕円の長軸方向に延長し、両端が矩形孔５３，５３に形成されている。
【００４１】
一方前記上の挾持部材４６は、下端が開放したキャップ状に形成され、前記テーパ軸部９３を圧入させ得る凹部９５ａとしての第２の係合部９５を具えており、全体が弾力性を有するゴム質素材からなる。
【００４２】
然して、軸状をなす前記第１の係合部９４を、前記凹部としての第２の係合部９５に圧入させることによって該第１、第２の係合部９４，９５が一体化され、この一体化状態で、図２４に示すように、前記挿通孔部５２に挿通状態にある支持バー９を、該挿通孔部５２の下端部５７に向けて押圧可能となされており、この押圧によって、該支持バー９が図２４〜２５に示すように、周方向に回動不能に前記挿通孔部５２に拘束されるようになされている。
【００４３】
図２７〜２９は、第１の係合部９４が設けられた下の挾持部材４５と第２の係合部９５が設けられた上の挾持部材４６とからなる挾持具１０の他の態様を示すものであり、該第１の係合部９４は上端開放の筒状部９６を具え、前記支持バー９を横方向に挿通させる挿通孔部５２が該筒状部９６の底面で開放している。又第２の係合部９５は、該筒状部９６の凹所９９に圧入される突部１００として形成されており、該凹所９９に該突部１００を圧入させることによって第１、第２の係合部９４，９５が一体化され、この一体化状態で、図２７に示すように、前記挿通孔部５２に挿通状態にある支持バー９を、前記挿通孔部５２の下端部５７に向けて押圧可能となされており、この押圧によって、該支持バー９が図２７、図３０に示すように、周方向に回動不能に前記挿通孔部５２に拘束されるようになされている。
【００４４】
前記実施の形態においては、取付部材６０の外面６７の対向側に係合突部６９，６９を突設しているが、該係合突部６９は、図３０〜３１に示すように、前記支持孔７６の内周面に周方向に９０度の角度を置いて設けられた四つの係合溝部７７，７７，７７，７７の一つに挿入される一つの係合突部６９を有するものとして構成されることもある。この場合も、係合溝部の選択によって、台座に対する支持バー９の突出方向を前記と同様にして９０度の角度単位で変更できる。
【００４５】
又図３２〜３３は、取付部材６０の外面６７に、前記四つの係合溝部７７，７７，７７，７７の全てに挿入される４つの係合突部６９，６９，６９，６９を設けた構成を示している。この場合も前記と同様にして、台座６１に対する支持バー９の突出方向を、９０度の角度単位で変更できる。
【００４６】
〔第２の実施の形態〕
図３４〜３５は本発明に係る幟竿立設装置１の他の態様を示すものであり、前記実施の形態における場合とは逆に、係合溝部７７を取付部材６０に設ける一方、係合突部６９を台座６１に設けている。
【００４７】
該係合溝部７７は、取付部材６０の外面６７に、その周方向に９０度の角度を置いて、上下方向に延び且つ下端が開放した状態で設けられている。又前記係合突部６９は、前記台座６１に設けられた上端開放の円形状の支持孔７６の内周面７８に突設されており、図３６においては、四つの係合溝部７７，７７，７７，７７の内の対向する二つに挿入される二つの係合突部６９，６９が設けられている。又図３７においては、四つの係合部の内の一つに挿入される一つの係合突部６９が設けられている。又図３８においては、四つの係合溝部７７，７７，７７，７７の全てに挿入される四つの係合突部６９，６９，６９，６９が設けられている。
【００４８】
そして、該係合突部６９を係合溝部７７の所要のものに挿入させることによって、台座６１に対する支持バー９の突出方向を変更可能となされている。
【００４９】
〔第３の実施の形態〕
図３９〜４０は、本発明に係る幟竿立設装置１のその他の態様を示すものであり、前記のような取付部材６０を用いず、幟竿８を構成する支柱６の下端部分１０５を、台座６１に設けた支持孔７６に直接挿入可能としている。
【００５０】
該支柱６は、前記第１の実施の形態におけると同様に、断面が楕円形状に形成されており、台座６１に設けられた支持孔７６は、図４０に示すように、前後方向に長い楕円形状の孔部１０６と、左右方向に長い楕円形状の孔部１０７とをクロスさせた十字状孔部として形成されている。
【００５１】
図４０は、前後方向に長い孔部１０６に支柱６の下端部分１０５を密接に挿入した状態を示しており、又図４１は、左右方向に長い孔部１０７に、支柱６の下端部分１０５を密接に挿入した状態を示している。これらの挿入状態で、各孔部の楕円形の内面１０９と前記支柱６の楕円形の外面１１０との周方向の係合作用により、支柱６が台座６１に対して軸線回りに回動不能となされ、これにより、支持バー９の突出方向を、選択した孔部に応じて一定方向に保持し得る。
【００５２】
〔第４の実施の形態〕
本発明に係る幟竿立設装置１が、支柱６の下端部分に取付部材６０を装着し、該取付部材６０を台座６１に設けた支持孔７６に挿入する構成を採用する場合、例えば図４２〜４３に示すように、該取付部材６０の横断面外形が四角形状に形成される場合もある。この場合、台座６１に設ける支持孔７６の横断面形態を、該取付部材６０を挿入させ得る四角形状に形成すれば、該支柱６の下端部分１１１に装着された取付部材６０を該支持孔７６に挿入させることにより、支柱６を台座６１に対して回動しないように立設できる。なお、該取付部材６０の横断面外形は、六角形状や八角形状等に形成される場合もあり、これらの外形に合わせて、支持孔７６の横断面形態が六角形状や八角形状等に形成される。そして図４３〜４４に示すように、周方向に９０度等に角度を変えて、取付部材６０を支持孔７６に挿入させることにより、該取付部材６０の非円形の外面１１２と支持孔７６の非円形の内面１１３との周方向の係合作用によって、支柱６を台座６１に対して軸線回りに回動不能となし得ると共に、支柱の角度を変更して取付部材を支持孔に挿入できることから、支持バー９の突出方向を変更できる。
【００５３】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００５４】
（１）  本発明に係る幟竿１を構成する支柱６を、長手方向に非円形の同一断面を有するパイプ状の外支柱部２内に、長手方向に非円形の同一断面を有するパイプ状の内支柱部２をスライド可能に挿入し、該内支柱部２の所要のスライドにより設定された支柱長さを固定可能に構成する場合、内支柱部３及び外支柱部２の非円形の断面形態は、前記のような、円形パイプの対向側を平坦に潰して形成された楕円形状を呈するものには限られず、周方向の相対的な回動を不能とするものであれば、図４５に示す断面四角形パイプ状や図４６に示す断面六角形パイプ状、図４７に示す断面八角形パイプ状等の角パイプ状に形成されたり、断面半丸パイプ状等に形成されることもある。なおこれらの場合、例えば図３１〜３３に示すように、外支柱部２内に内支柱部３を若干の遊びを有してスライド可能に挿入するのがよい。
【００５５】
（２）  図４８〜４９は、支持バー９を横方向に挿通させる挿通孔部５２の全体を、上端が開放した溝状に構成した挾持具１０を示している。
挿通孔部５２をこのように溝状に形成した場合は、例えば図４９に示すように支持バー９の左右部分９ａ，９ｂで幟７，７を支持する場合、該支持バー９の中央部分１０１を前記挿通孔部５２に落とし込み状態に嵌め入れば、該支持バー９を挿通孔部５２に容易に挿通状態となし得る利点がある。
【００５６】
（３）  図５０〜５１は、挾持具１０のその他の態様を示すものであり、下の挾持部材４５を構成する軸部４９を、下端開放で且つ断面が楕円形状を呈する挿入孔１０２を有したものとして構成し、該挿入孔１０２に、前記内支柱部３の楕円形軸状をなす上端部分１０３を密接に窮屈な状態で挿入させることにより、該下の挾持部材４５を内支柱部３の上端部に固定可能としてなる。
なお図５０〜５１においては、挿通孔部５２の両端が矩形状を呈するのに対して、図５２においては挿通孔部５２を上端開放の溝状に形成している。
【００５７】
（４）  外支柱部２内に内支柱部３をスライド可能に挿入して構成された支柱６の長さを固定する固定具５は、前記したレバー方式の他、外支柱部２と内支柱部３との接続部分を一体に挾持する挾持手段等、各種の公知手段を採用できる。
【００５８】
（５）  本発明に係る幟竿８を構成する支柱６は、伸縮しない一定長さのものとして形成されることもある。
【００５９】
（６）  支持バー９を、横方向に突出する如く支柱６の上端部に固定状態に付設する手段としては、前記挾持具１０を用いる手段の他、図５３〜５４に示すように、支柱６の上端部に横方向に貫設した挿通孔１１５に支持バー９を挿通せしめ、且つ該挿通孔１１５の両端側に、支持バー９の横移動を阻止する止具１１６，１１６を固定する手段を採用することもできる。
【００６０】
（７）  図５５に示すように、取付部材６０の外面に係合突部６９を設ける場合、該係合突部６９を上側部分にのみ設け、これに合わせて、台座６１の支持孔７６の内周面に設ける係合溝部７７を、底部１１７を有した上端開放の欠切状態に設けることもある。
このような構成は、取付部材６０の外面６７に係合溝部７７を設けると共に、台座６１の支持孔７６の内周面に係合突部６９を設ける場合も同様である。
【００６１】
（８）  図５６〜５７に示すように、取付部材６０の外面６７に一つの係合突部６９を設ける場合、台座６１の支持孔７６の内周面に設ける係合溝部７７は、周方向に９０度の角度を置いて二つのみ設けられることもある。この場合、係合突部６９を挿入させる係合溝部の選択によって、支持バー９の突出方向を９０度変更できる。このことは、前記支持孔７６の内周面に一つの係合突部を設けると共に、取付部材６０に、周方向に９０度の角度を置いて二つの係合溝部を設ける場合も同様である。
【００６２】
（９）  幟竿８を構成する支柱６の下端部分を、取付部材６０を介して台座６１の支持孔７６に挿入させる場合も、該支柱６の下端部分を台座６１の支持孔７６に直接挿入する場合も、支持バー９の突出方向を、３０度や４５度、６０度単位で変更可能とすることもある。
【００６３】
（１０）支柱６が、長手方向に四角形状の同形断面を有する場合、台座に設ける支持孔７６を断面四角形状を呈する如く構成することにより、該支柱６の下端部分を、９０度単位で角度変更して支持孔７６に挿入できるため、支持バー９の突出方向を９０度単位で変更できることになる。
又支柱６が、長手方向に六角形状の同形断面を有する場合、台座に設ける支持孔７６を断面六角形状を呈する如く構成することにより、該支柱６の下端部分を、６０度単位で角度変更して支持孔に挿入できるため、支持バー９の突出方向を６０度単位で変更できることになる。
【００６４】
（１１）幟竿を立設するための前記台座６１は、取付部材を挿入可能な支持孔や、支柱の下端部分を挿入可能な支持孔を有するものである限り、その外形は問わず、矩形板状の鉄板の中央部に、上端開放の支持孔を具えた支持筒を立設したものであってもよい。
【００６５】
（１２）図５８〜５９は、幟７の他の態様を示す斜視図であり、共に、支柱６が台座６１に立設せしめられており、同図においては、幟７の上部を支持する支持バー９が建物７１の壁面７２から略直角に突出した状態とされている。
【００６６】
（１３）支持バー９が幟７の上部４１を支持する構成は、前記したように上部４１を下方から受けるように支持することの他、支持バー９に設けられたクリップ等によって前記上部を挾持して支持することもある。
【００６７】
【発明の効果】
本発明は、以下の如き優れた効果を奏する。
（１）  本発明に係る幟竿立設装置によるときは、幟の上部を支持する支持バーが支柱の上端部に固定状態に付設されてなる幟竿を、係合による回り止め作用によって台座に対し回動しないように取り付けることができ、又、該台座に対する幟竿の装着状態を変更することにより、支持バーの突出方向を所望方向に設定できる。
これにより、道路に面した店舗の軒下等の狭い敷地内に幟竿を設置せざる得ないときにも、広告媒体である幟を通行者等から見やすい一定の向き（例えば、店舗の外壁面から略直角をなす向き）で保つことができ、幟本来の宣伝広告機能を有効に発揮させることができる。又、このように支持バーを一定の向きに保ち得ることから、従来のように、支持バーが回動することによって、幟がショーウインドーや店舗のガラス面に張り付いて、ショーウインドーの内部や店内を外から見えにくくして顧客誘引を妨げたり、店内を暗くして店の雰囲気を悪化させる等の問題を生じさせることもない。
又、強風によって幟竿が転倒する恐れのあるときは、重量物である台座の向きはそのままにして、支柱を台座から一旦抜き取り該支柱の台座に対する取り付け向きを変更することにより、支持バーを外壁面に平行状態として風圧を軽減させ得る。
【００６８】
（２）  又、本発明に係る支柱の台座に対する回動防止は、支柱の下端部分を取付部材を介して台座の支持孔に挿入する場合も、台座の支持孔に支柱の下端部分を直接挿入する場合も、周方向の係合作用を利用して行うため、該回動防止を簡易な構成によって確実に達成できる。
これにより、支柱の台座に対する回動防止をストッパーを用いて行う前記従来手段に比し、回動防止を確実に達成できると共に、ストッパーが外れて幟竿がいきなり回転することによる危険を回避し得る。
【図面の簡単な説明】
【図１】本発明に係る幟竿をその使用状態で示す斜視図である。
【図２】内支柱部と外支柱部と固定具の構成を説明する斜視図である。
【図３】外支柱部内に内支柱部をスライド可能に挿入した状態を示す斜視図である。
【図４】外支柱部内に内支柱部を挿入した状態を示す断面図である。
【図５】固定具の構成を説明する分解斜視図である。
【図６】支柱長さの固定構造を説明する断面図である。
【図７】固定具を構成する筒体を示す底面図である。
【図８】支柱の長さを固定具により固定した状態を示す断面図である。
【図９】幟の上部を支持バーによって下方から支持した状態を示す斜視図である。
【図１０】内支柱部の上端部に支持バーを固定状態とする挾持具の構成を説明する分解斜視図である。
【図１１】挾持具を構成する下の挾持部材を示す一部断面斜視図である。
【図１２】挾持具を構成する下の挾持部材の軸部を、内支柱部の上端部分に挿入した状態を示す断面図である。
【図１３】挾持具によって支持バーを内支柱部の上端部に固定状態とした断面図である。
【図１４】その斜視図である。
【図１５】外支柱部の下端部分を取付部材を介して台座に立設可能とする構成を説明する分解斜視図である。
【図１６】外支柱部の下端部分を取付部材を介して台座に立設状態とする作業工程を説明する斜視図である。
【図１７】外支柱部の下端部分に取付部材を装着した状態を示す縦断面図である。
【図１８】その横断面図である。
【図１９】取付部材を介して支柱を台座に立設した状態を示す縦断面図である。
【図２０】その横断面図である。
【図２１】支持バーが建物の外壁面から略直角に突出する如く支柱を台座に立設した状態を示す斜視図である。
【図２２】支持バーが建物の外壁面と平行状態となる如く支柱を台座に立設した状態を示す断面図である。
【図２３】その斜視図である。
【図２４】支持バーを内支柱部の上端部に固定状態とする挾持具の他の態様をその使用状態で示す断面図である。
【図２５】その斜視図である。
【図２６】その挾持具を説明する分解斜視図である。
【図２７】支持バーを内支柱部の上端部に固定状態とする挾持具のその他の態様を使用状態で示す断面図である。
【図２８】その挾持具を示す分解斜視図である。
【図２９】その挾持具の使用状態を示す斜視図である。
【図３０】本発明に係る幟竿立設装置の他の態様をその使用状態で示す断面図である。
【図３１】その幟竿立設装置を、他の使用状態で示す断面図である。
【図３２】本発明に係る幟竿立設装置のその他の態様をその使用状態で示す断面図である。
【図３３】その幟竿立設装置を、他の使用状態で示す断面図である。
【図３４】係合溝部が設けられた取付部材を示す斜視図である。
【図３５】その取付部材を用いる幟竿立設装置を説明する分解斜視図である。
【図３６】その使用状態を示す断面図である。
【図３７】係合溝部を具えた取付部材を用いる幟竿立設装置の他の使用状態を示す断面図である。
【図３８】係合溝部を具えた取付部材を用いる幟竿立設装置のその他の使用状態を示す断面図である。
【図３９】本発明に係る幟竿立設装置のその他の態様を示す分解斜視図である。
【図４０】その使用状態を示す断面図である。
【図４１】その幟竿立設装置の他の使用状態を示す断面図である。
【図４２】幟竿立設装置のその他の態様を説明する分解斜視図である。
【図４３】その使用状態の一例を示す断面図である。
【図４４】その使用状態の他の例を示す断面図である。
【図４５】内支柱部と外支柱部の他の態様を示す断面図である。
【図４６】内支柱部と外支柱部のその他の態様を示す断面図である。
【図４７】内支柱部と外支柱部のその他の態様を示す断面図である。
【図４８】上の挾持部材に設ける挿通孔部の他の態様を示す斜視図である。
【図４９】内支柱部の上端部に固定された支持バーの左右部分に幟を取り付けた状態を示す正面図である。
【図５０】支持バーを内支柱部の上端部に固定状態とする挾持具のその他の態様を使用状態で示す断面図である。
【図５１】その挾持具を示す分解斜視図である。
【図５２】図５０において、挿通孔部を上端開放の溝状に形成した場合を示す断面図である。
【図５３】支持バーを支柱の上端部に固定状態に付設する他の手段を示す断面図である。
【図５４】その斜視図である。
【図５５】取付部材を用いる幟竿立設装置の他の態様を示す断面図である。
【図５６】本発明に係る幟竿立設装置のその他の態様を使用状態の一例で示す断面図である。
【図５７】その幟竿立設装置を、使用状態の他の例で示す断面図である。
【図５８】幟の他の態様をその使用状態で示す斜視図である。
【図５９】幟のその他の態様をその使用状態で示す斜視図である。
【図６０】従来の幟竿立設装置の問題点を説明する斜視図である。
【符号の説明】
１  幟竿
２  外支柱部
３  内支柱部
５  固定具
６  支柱
７  幟
９  支持バー
１０  挾持具
１１  平坦部分
１２  平坦部分の内面部
１３  平坦部分の外面部
１４  内支柱部の非円形の外面
１５  平坦部分
１６  平坦部分の内面部
１７  平坦部分の外面部
１８  外支柱部の非円形の内面
４５  下の挾持部材
４６  上の挾持部材
５０  ネジ軸部
５２  挿通孔部
６０  取付部材
６１  台座
７２  外壁面
９３  第１の係合部
９４  第２の係合部
【図１】
2004317971.tif 000003
【図２】
2004317971.tif 000004
【図３】
2004317971.tif 000005
【図４】
2004317971.tif 000006
【図５】
2004317971.tif 000007
【図６】
2004317971.tif 000008
【図７】
2004317971.tif 000009
【図８】
2004317971.tif 000010
【図９】
2004317971.tif 000011
【図１０】
2004317971.tif 000012
【図１１】
2004317971.tif 000013
【図１２】
2004317971.tif 000014
【図１３】
2004317971.tif 000015
【図１４】
2004317971.tif 000016
【図１５】
2004317971.tif 000017
【図１６】
2004317971.tif 000018
【図１７】
2004317971.tif 000019
【図１８】
2004317971.tif 000020
【図１９】
2004317971.tif 000021
【図２０】
2004317971.tif 000022
【図２１】
2004317971.tif 000023
【図２２】
2004317971.tif 000024
【図２３】
2004317971.tif 000025
【図２４】
2004317971.tif 000026
【図２５】
2004317971.tif 000027
【図２６】
2004317971.tif 000028
【図２７】
2004317971.tif 000029
【図２８】
2004317971.tif 000030
【図２９】
2004317971.tif 000031
【図３０】
2004317971.tif 000032
【図３１】
2004317971.tif 000033
【図３２】
2004317971.tif 000034
【図３３】
2004317971.tif 000035
【図３４】
2004317971.tif 000036
【図３５】
2004317971.tif 000037
【図３６】
2004317971.tif 000038
【図３７】
2004317971.tif 000039
【図３８】
2004317971.tif 000040
【図３９】
2004317971.tif 000041
【図４０】
2004317971.tif 000042
【図４１】
2004317971.tif 000043
【図４２】
2004317971.tif 000044
【図４３】
2004317971.tif 000045
【図４４】
2004317971.tif 000046
【図４５】
2004317971.tif 000047
【図４６】
2004317971.tif 000048
【図４７】
2004317971.tif 000049
【図４８】
2004317971.tif 000050
【図４９】
2004317971.tif 000051
【図５０】
2004317971.tif 000052
【図５１】
2004317971.tif 000053
【図５２】
2004317971.tif 000054
【図５３】
2004317971.tif 000055
【図５４】
2004317971.tif 000056
【図５５】
2004317971.tif 000057
【図５６】
2004317971.tif 000058
【図５７】
2004317971.tif 000059
【図５８】
2004317971.tif 000060
【図５９】
2004317971.tif 000061
【図６０】
2004317971.tif 000062